(57)【要約】【課題】高速連写によって得られた一連の画像を効率良く記録できるデジタルカメラを提供すること。【解決手段】シーンモードに応じて連写インターバルを設定しておく。連写モードにおける連続撮像動作によって取得された複数の画像データを記録する際には、まず、最初の画像データを記録し、以後は、最初の画像データが取得されてから、連写インターバルの間隔を有して取得された画像データのみを記録するようにする。【選択図】図１０
2006229481.tif 000002
【特許請求の範囲】
【請求項１】
複数の撮影シーンに対応した複数の撮影モードを設定可能なデジタルカメラにおいて、
被写体像を撮像して画像データを取得する撮像手段と、
１回の手動操作に応答して上記撮像手段を複数回動作させ、それによって得られた複数の画像データを記録媒体に記録する連写動作を行う連写手段と、
を具備し、
上記連写手段は、設定された撮影モードに応じて上記連写動作の間隔を調整することを特徴とするデジタルカメラ。
【請求項２】
上記連写手段は、上記設定された撮影モードに応じて、上記撮像手段を複数回動作させることによって得られた複数の画像データの中から所定時間以上の時間間隔を有して取得された画像データを複数選出することにより、上記連写動作の間隔を調整することを特徴とする請求項１に記載のデジタルカメラ。
【請求項３】
上記連写手段は、上記設定された撮影モードに応じて、上記撮像手段の動作間隔を調整することにより、上記連写動作の間隔を調整することを特徴とする請求項１に記載のデジタルカメラ。
【請求項４】
上記連写動作の間隔は、上記撮像手段の動作開始と同期して計時開始されることを特徴とする請求項１に記載のデジタルカメラ。
【請求項５】
上記複数の撮影モードは、少なくともポートレートモードとスポーツモードとを含み、上記ポートレートモードにおける連写動作の間隔は、上記スポーツモードにおける連写動作の間隔よりも長いことを特徴とする請求項１に記載のデジタルカメラ。
【請求項６】
上記連写動作の間隔は、撮影対象の被写体の動特性に基づいて決定されることを特徴とする請求項１に記載のデジタルカメラ。
【請求項７】
複数の撮影シーンに対応した複数の撮影モードを設定可能であり、１回の手動操作に応じて連続撮影動作が実行されるデジタルカメラにおいて、
設定された撮影モードに応じて上記連続撮影動作の間隔が調整されることを特徴とするデジタルカメラ。
【請求項８】
複数の撮影シーンに対応した複数の撮影モードを設定可能なデジタルカメラにおいて、
被写体像を撮像して画像データを取得する撮像手段と、
１回の手動操作に応答して上記撮像手段を連続的に動作させる連写手段と、
上記連写手段によって上記撮像手段を連続的に動作させて取得された複数の画像データを一時的に記憶する一時記憶手段と、
上記一時記憶手段に記憶されている複数の画像データの中から、上記撮影モードに応じて設定された所定時間以上の時間間隔を有して取得された画像データを複数選出して記録媒体に記録する記録手段と、
を具備することを特徴とするデジタルカメラ。
【請求項９】
複数の撮影シーンに対応した複数の撮影モードを設定可能なデジタルカメラにおいて、
被写体像を撮像して画像データを取得する撮像手段と、
１回の手動操作に応答して、上記撮影モードに応じて設定された所定時間毎に複数回上記撮像手段を動作させる連写手段と、
上記連写手段によって上記撮像手段を動作させた結果取得された複数の画像データを記録媒体に記録する記録手段と、
を具備することを特徴とするデジタルカメラ。
【請求項１０】
上記撮影モードは、少なくともポートレートモードとスポーツモードとを含み、上記ポートレートモードにおける上記所定時間は、上記スポーツモードにおける上記所定時間よりも長いことを特徴とする請求項８又は９に記載のデジタルカメラ。
【発明の詳細な説明】
【技術分野】
【０００１】
本発明は、連続撮影を行うことが可能なデジタルカメラに関する。
【背景技術】
【０００２】
近年のデジタルカメラでは、撮影時の動作モードとして単写モードと連写モードとを備えているものが多い。単写モードは、ユーザによるレリーズボタンの押操作に応答して１フレームの画像の撮影が行われる動作モードである。一方、連写モードは、ユーザがレリーズボタンを押操作している間、撮影動作が繰り返され、これによって複数フレームの画像の撮影が行われる動作モードである。ここで、連写モードにおける連写速度は、将来的には１秒間に数１０フレームに達することが予想されている。このような超高速の連写モードで撮影を行うと、１回の連続撮影で数１０フレーム分の画像ファイルが記録媒体に記録されることになる。
【０００３】
このような連写モードを有するデジタルカメラにおいて、画像検索などの使い勝手を向上させるためには、例えばファイルの管理形態を工夫する必要がある。このような工夫の例として、例えば特許文献１においては、１回の連写によって取得された複数の画像をグループ化してフォルダ管理する手法が提案されている。
【０００４】
また、連写速度が速くなると、それほど差の無い画像が大量に記録され、これによって記録媒体の容量が圧迫されてしまう。そこで、不要な画像を記録媒体に記録させないようにする技術として、特許文献２においては、連写終了後に画像を記録媒体に記録するか否かをユーザが指示できるようにしている。
【特許文献１】特開平１１−３４１４２１号公報
【特許文献２】特開２００１−７８１３６号公報
【発明の開示】
【発明が解決しようとする課題】
【０００５】
一般に、レースカーのような走行速度の速い被写体であれば高速連写は有効であるが、ポートレート撮影のように一瞬の表情をキャッチするために連写を行う場合には、それほどの高速連写は不要である。
【０００６】
ここで、特許文献１の手法では、撮影によって得られた大量の画像を効率良く管理する手法については提案されているが、不要な画像も記録媒体に記録されてしまう。一方、特許文献２の手法では、画像記録するか否かをユーザが指定する必要があるので、ユーザが煩わしさを感じるおそれがある。
【０００７】
本発明は、上記の事情に鑑みてなされたもので、高速連写によって得られた一連の画像を効率良く記録できるデジタルカメラを提供することを目的とする。
【課題を解決するための手段】
【０００８】
上記の目的を達成するために、本発明の第１の態様によるデジタルカメラは、複数の撮影シーンに対応した複数の撮影モードを設定可能なデジタルカメラにおいて、被写体像を撮像して画像データを取得する撮像手段と、１回の手動操作に応答して上記撮像手段を複数回動作させ、それによって得られた複数の画像データを記録媒体に記録する連写動作を行う連写手段とを具備し、上記連写手段は、設定された撮影モードに応じて上記連写動作の間隔を調整することを特徴とする。
【０００９】
また、上記の目的を達成するために、本発明の第２の態様によるデジタルカメラは、複数の撮影シーンに対応した複数の撮影モードを設定可能であり、１回の手動操作に応じて連続撮影動作が実行されるデジタルカメラにおいて、設定された撮影モードに応じて上記連続撮影動作の動作間隔が調整されることを特徴とする。
【００１０】
これら第１及び第２の態様によれば、撮影モードに応じて連続撮影動作の間隔が調整されるので、高速連写によって得られた一連の画像を撮影モードに応じて効率良く記録できる。
【００１１】
また、上記の目的を達成するために、本発明の第３の態様によるデジタルカメラは、複数の撮影シーンに対応した複数の撮影モードを設定可能なデジタルカメラにおいて、被写体像を撮像して画像データを取得する撮像手段と、１回の手動操作に応答して上記撮像手段を連続的に動作させる連写手段と、上記連写手段によって上記撮像手段を連続的に動作させて取得された複数の画像データを一時的に記憶する一時記憶手段と、上記一時記憶手段に記憶されている複数の画像データの中から、所定時間以上の時間間隔を有して取得された画像データを複数選出して記録媒体に記録する記録手段とを具備することを特徴とする。
【００１２】
この第３の態様によれば、撮影モードに応じて連続撮影によって取得された画像データの記録間隔が調整されるので、高速連写によって得られた一連の画像を撮影モードに応じて効率良く記録できる。
【００１３】
また、上記の目的を達成するために、本発明の第４の態様によるデジタルカメラは、複数の撮影シーンに対応した複数の撮影モードを設定可能なデジタルカメラにおいて、被写体像を撮像して画像データを取得する撮像手段と、１回の手動操作に応答して、所定時間毎に複数回上記撮像手段を動作させる連写手段と、上記連写手段によって上記撮像手段を動作させた結果取得された複数の画像データを記録媒体に記録する記録手段とを具備することを特徴とする。
【００１４】
この第４の態様によれば、撮影モードに応じて撮像手段の動作間隔が調整されるので、高速連写によって得られた一連の画像を撮影モードに応じて効率良く記録できる。
【発明の効果】
【００１５】
本発明によれば、高速連写によって得られた一連の画像を効率良く記録できるデジタルカメラを提供することができる。
【発明を実施するための最良の形態】
【００１６】
以下、図面を参照して本発明の実施形態を説明する。  
［第１の実施形態］
図１は、本発明の第１の実施形態に係るデジタルカメラ（以下、単にカメラと称する）の構成を示すために、デジタルカメラ本体の一部を切断してその内部構成を概略的に示した斜視図である。ここで、例として、図１のカメラ１は、一眼レフレックス方式のカメラを示している。
【００１７】
図１に示すように、カメラ１は、レンズ鏡筒１００とカメラ本体２００とから構成されている。
【００１８】
レンズ鏡筒１００内部には、複数の光学レンズから構成される撮影光学系１０２が配設されている。この撮影光学系１０２は、後述するレンズ駆動機構により光軸方向に移動自在に構成されており、図示しない被写体からの光束をカメラ本体２００の内部方向に透過させる。
【００１９】
カメラ本体２００の前面側の略中央部には、撮影光学系１０２を透過した光束を当該カメラ本体２００の内部に導くための所定の口径を有する露光用開口が形成されている。この露光用開口の周縁部には撮影光学系装着部２００ａが形成されており、この撮影光学系装着部２００ａを介してレンズ鏡筒１００は、カメラ本体２００に着脱自在になっている。ここで、カメラ本体２００には、撮影時の用途に応じた種々のレンズ鏡筒１００を装着できるようになっている。
【００２０】
更に、カメラ本体２００の内部には、ファインダ装置２０２、シャッタ部２０８、撮像ユニット２１１、回路基板２００ｂなどの種々の構成部材がそれぞれ所定の位置に配設されている。
【００２１】
ファインダ装置２０２は、クイックリターンミラー（以下、メインミラーと称する）２０２ａと、フォーカシングスクリーン２０２ｂと、ペンタプリズム２０２ｃと、接眼レンズ２０２ｄとから構成されている。
【００２２】
メインミラー２０２ａは、光入射面がハーフミラーになっており、撮影光学系１０２の光軸上の位置（図１に示す位置  以下、ダウン位置と称する）と光軸から退避する位置（以下、アップ位置と称する）との間で移動自在に構成されている。通常状態において、メインミラー２０２ａは、撮影光学系１０２の光軸から所定の角度、例えば角度４５度を有して配置されるようになっている。このような構成により、カメラ１が通常状態にあるときには、撮影光学系１０２を透過した光束の一部がメインミラー２０２ａで反射され、一部がメインミラー２０２ａを透過するようになっている。ここで、メインミラー２０２ａの裏面には、サブミラー２０３が設置されており、メインミラー２０２ａを透過した光束は、後述するＡＦセンサユニットに入射する。
【００２３】
また、メインミラー２０２ａで反射された光束はフォーカシングスクリーン２０２ｂに結像される。フォーカシングスクリーン２０２ｂに結像された像は、ペンタプリズム２０２ｃにおいて反転されて正立像になる。ペンタプリズム２０２ｃにおいて形成された像は、接眼レンズ２０２ｄにおいて拡大される。このような構成により、ユーザが被写体の像を目視確認することが可能である。
【００２４】
一方、カメラ１が撮影動作状態にあるときには、メインミラー２０２ａが撮影光学系１０２の光軸から退避する所定のアップ位置に移動される。このとき、撮影光学系１０２を透過した被写体からの光束は、シャッタ部２０８を介して撮像ユニット２１１に入射する。シャッタ部２０８は、例えばフォーカルプレーン式のシャッタ機構などから構成されている。また、シャッタ部２０８は、後述するシャッタ制御回路によって開閉可能に構成され、シャッタ部２０８の開閉時間が制御されることによって、シャッタ部２０８の後方に配設された撮像ユニット２１１の露光時間等が制御される。
【００２５】
また、撮像ユニット２１１は、防塵フィルタ（防塵ガラスともいう）２１３と撮像素子２１２などから構成されている。防塵フィルタ２１３は撮像素子２１２の前面側に配設されており、この防塵フィルタ２１３によって、撮像素子２１２の光電変換面に塵埃が付着するのが防止される。また、防塵フィルタ２１３は、後述する圧電素子によって振動可能に構成されており、防塵フィルタ２１３が振動されることにより、防塵フィルタ２１３に付着した塵埃が払い落とされる。撮像素子２１２は光電変換面を形成する多数の光電変換素子（例えば、フォトダイオード）などから構成され、撮像素子２１２の光電変換面に入射した光束は電気信号に変換される。
【００２６】
また、回路基板２００ｂには、当該カメラ１の各種電気回路が実装されている。
【００２７】
図２は、図１に示すカメラ１の内部の電気回路構成について詳しく示すブロック図である。なお、図１で説明した構成については、図１と同じ参照符号を付している。
【００２８】
図１でも説明したように、カメラ１は、レンズ鏡筒１００と、カメラ本体２００とから構成されている。
【００２９】
レンズ鏡筒１００の各部の制御はレンズ制御用マイクロコンピュータ（以下、Ｌｕｃｏｍと称する）１０１によって行われる。一方、カメラ本体２００の各部の制御は連写手段及び記録手段としてのボディ制御用マイクロコンピュータ（以下、Ｂｕｃｏｍと称する）２０１によって行われる。ここで、カメラ本体２００にレンズ鏡筒１００が装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００３０】
また、上述したように、レンズ鏡筒１００の内部には、撮影光学系１０２が配設されている。ここで、図２においては、撮影光学系１０２を構成する複数の光学レンズを１つの光学レンズで代表して図示している。この撮影光学系１０２は、レンズ駆動機構１０３内に存在する図示しないＤＣモータにより、その光軸方向に駆動される。
【００３１】
また、撮影光学系１０２の後方には絞り１０４が設けられている。この絞り１０４は、絞り駆動機構１０５内に存在する図示しないステッピングモータによって開閉駆動される。絞り１０４の開閉が制御されることによって、撮影光学系１０２を介してカメラ本体２００に入射する被写体からの光束の光量が制御される。
【００３２】
ここで、レンズ駆動機構１０３内のＤＣモータの制御及び絞り駆動機構１０５内のステッピングモータの制御は、Ｂｕｃｏｍ２０１の指令を受けたＬｕｃｏｍ１０１によって行われる。
【００３３】
また、カメラ本体２００の内部には、メインミラー２０２ａ、フォーカシングスクリーン２０２ｂ、ペンタプリズム２０２ｃ、接眼レンズ２０２ｄから構成されるファインダ装置が設けられている。カメラ１が通常状態にある場合には、上述したように、撮影光学系１０２を介して入射した被写体からの光束の一部がメインミラー２０２ａで反射される。これによって、フォーカシングスクリーン２０２ｂ、ペンタプリズム２０２ｃ、及び接眼レンズ２０２ｄを介して観察用の像が形成される。
【００３４】
ここで、ペンタプリズム２０２ｃの近傍には測光回路２０４が設けられており、ペンタプリズム２０２ｃを通過した光束の一部が測光回路２０４内の図示しないホトセンサに入射するようになっている。測光回路２０４では、ホトセンサで検出された光束の光量に基づき周知の測光処理が行われる。測光回路２０４で処理された結果は、Ｂｕｃｏｍ２０１に送信される。Ｂｕｃｏｍ２０１では、測光回路２０４から入力された結果に基づいて撮影時の露光量が演算される。この結果は、Ｂｕｃｏｍ２０１からＬｕｃｏｍ１０１に送信される。Ｌｕｃｏｍ１０１では、Ｂｕｃｏｍ２０１から通知された露光量に基づいて絞り１０４の駆動制御が行われる。
【００３５】
また、メインミラー２０２ａを透過してサブミラー２０３で反射された光束は自動焦点調節（ＡＦ）を行うためのＡＦセンサユニット２０５に導かれる。ＡＦセンサユニット２０５の内部には、例えば位相差方式のＡＦを行うためのＡＦセンサが設けられている。このＡＦセンサに入射した光束は電気信号に変換される。ＡＦセンサユニット２０５のＡＦセンサからの出力は、ＡＦセンサ駆動回路２０６を介してＢｕｃｏｍ２０１へ送信される。そして、Ｂｕｃｏｍ２０１において測距処理が行われ、焦点調節に必要な撮影光学系１０２の駆動量が演算される。この結果は、Ｂｕｃｏｍ２０１からＬｕｃｏｍ１０１に送信される。Ｌｕｃｏｍ１０１では、Ｂｕｃｏｍ２０１から通知された駆動量に基づいて撮影光学系１０２の駆動制御が行われる。
【００３６】
また、カメラ１が撮影動作状態にあるときには、メインミラー２０２ａが撮影光学系１０２の光軸から退避する所定のアップ位置に移動される。このようなメインミラー２０２ａの駆動は、ミラー駆動機構２０７によって行われる。また、ミラー駆動機構２０７の制御は、Ｂｕｃｏｍ２０１によって行われる。ここで、メインミラー２０２ａがアップ位置に移動された場合には、それに伴ってサブミラー２０３が折り畳まれるようになっている。
【００３７】
メインミラー２０２ａがアップ位置に移動されることによって、撮影光学系１０２を透過した被写体からの光束はシャッタ部２０８の方向に入射する。フォーカルプレーン式のシャッタ部２０８を構成する先幕と後幕とを駆動するためのばね力は、シャッタチャージ機構２０９によってチャージされる。また、先幕と後幕の駆動は、シャッタ制御回路２１０によって行われる。これらシャッタチャージ機構２０９及びシャッタ制御回路２１０は、Ｂｕｃｏｍ２０１によって制御される。
【００３８】
シャッタ部２０８を通過した光束は、シャッタ部２０８の後方に配置された撮像ユニット２１１内部に設けられた撮像手段としての撮像素子２１２に入射する。この撮像素子２１２は、撮像素子２１２と撮影光学系１０２との間に配設された防塵フィルタ２１３によって保護されている。防塵フィルタ２１３は、例えばガラス等の透明部材で構成されている。
【００３９】
また、防塵フィルタ２１３の周縁部には、該防塵フィルタ２１３を所定の振動周波数で振動させるための圧電素子２１４が取り付けられている。圧電素子２１４は、２つの電極を有しており、防塵フィルタ駆動回路２１５によって駆動される。また、防塵フィルタ２１の制御は、Ｂｕｃｏｍ２０１によって行われる。防塵フィルタ駆動回路２１５によって圧電素子２１４を振動させることによって、防塵フィルタ２１３が振動する。これによって、防塵フィルタ２１３の表面に付着した塵埃が払い落とされる。
【００４０】
ここで、撮像素子２１２と圧電素子２１４とは、防塵フィルタ２１３を一面とするケース内に一体的に収納されている。これにより、撮像素子２１２への塵埃の付着を確実に防止することができる。
【００４１】
また、撮像ユニット２１１の近傍には、温度測定回路２１６が設けられている。通常、温度はガラス製の物材の弾性係数に影響する。つまり、温度の変化は防塵フィルタ２１３の固有振動数を変化させる要因の１つとなるため、防塵フィルタ２１３を振動させる際には、常にその周辺温度が計測されるようにしている。なお、温度測定回路２１６の温度測定ポイントは防塵フィルタ２１３の振動面の極近傍に設定することが好ましい。このように、温度の変化を考慮しながら防塵フィルタ２１３の振動を制御することにより、常に最適な条件で防塵フィルタ２１３を振動させることが可能である。
【００４２】
撮像素子２１２で得られた電気信号（画像信号）は、所定タイミング毎に撮像インターフェイス回路２１７を介して読み込まれてデジタル化される。撮像インターフェイス回路２１７でデジタル化されて得られた画像データは、画像処理コントローラ２１８を介してＳＤＲＡＭなどで構成された一時記憶手段としてのバッファメモリ２１９に格納される。ここで、バッファメモリ２１９は、画像データなどのデータの一時保管用メモリであり、画像データに各種処理が施される際のワークエリアなどに利用される。
【００４３】
また、電子ビューファインダ（ＥＶＦ）表示が行われる時には、撮像インターフェイス回路２１７を介して読み込まれ、バッファメモリ２１９に格納された画像データが画像処理コントローラ２１８によって読み込まれる。画像処理コントローラ２１８によって読み込まれた画像データは、ＥＶＦ表示用のホワイトバランス補正などの画像処理が施された後、バッファメモリ２１９に格納される。その後、バッファメモリ２１９に格納された画像データは、フレーム単位で画像処理コントローラ２１８によって読み込まれてビデオ信号に変換される。このビデオ信号は、表示用の所定のサイズにリサイズされた後、表示手段としての液晶モニタ２２２に表示される。なお、ＥＶＦ表示は、撮影動作前、即ちメインミラー２０２ａがアップ位置にある場合にのみ行われる。
【００４４】
また、撮影終了後には、撮像インターフェイス回路２１７を介して読み込まれ、バッファメモリ２１９に格納された画像データが画像処理コントローラ２１８によって読み込まれる。画像処理コントローラ２１８によって読み込まれた画像データは、ホワイトバランス補正や、階調補正、色補正などの周知の画像処理が施された後、バッファメモリ２１９に格納される。その後、バッファメモリ２１９に格納された画像データが画像処理コントローラ２１８によって読み込まれてビデオ信号に変換され、表示用の所定のサイズにリサイズされた後、液晶モニタ２２２に出力表示される。ユーザは、液晶モニタ２２２に表示された画像により、撮影した画像を確認することができる。
【００４５】
また、画像記録時には、画像処理コントローラ２１８によって処理された画像データが、ＪＰＥＧ方式などの周知の圧縮方式によって圧縮される。ＪＰＥＧ圧縮によって得られたＪＰＥＧデータは、バッファメモリ２１９に格納された後、所定のヘッダ情報が付加されたＪＰＥＧファイルとして記録媒体としてのＦｌａｓｈＲＯＭ２２０や記録メディア２２１に記録される。ここで、ＦｌａｓｈＲＯＭ２２０はカメラ１に内蔵のメモリを想定しており、記録メディア２２１はカメラ１の外部に装着されるものを想定している。記録メディア２２１としては、例えばカメラ１に着脱自在に構成されたメモリカードやハードディスクドライブなどが用いられる。
【００４６】
また、ＦｌａｓｈＲＯＭ２２０や記録メディア２２１に記録されたＪＰＥＧファイルから画像を再生する際には、ＦｌａｓｈＲＯＭ２２０や記録メディア２２１に記録されたＪＰＥＧデータが画像処理コントローラ２１８によって読み込まれて伸長される。その後、この伸長データがビデオ信号に変換された後、表示用の所定のサイズにリサイズされ、液晶モニタ２２２に出力表示される。
【００４７】
また、Ｂｕｃｏｍ２０１には、カメラ制御に必要な所定の制御パラメータを記憶する不揮発性メモリ２２３がアクセス可能に接続されている。この不揮発性メモリ２２３は、例えば書き換え可能なＥＥＰＲＯＭで構成されている。
【００４８】
更に、Ｂｕｃｏｍ２０１には、電源回路２２４を介して電源としての電池２２５が接続されている。電源回路２２４では、電池２２５の電圧が、当該カメラシステムの各部が必要とする電圧に変換され、当該カメラシステムの各部に供給される。
【００４９】
更に、Ｂｕｃｏｍ２０１には、当該カメラ１の動作状態を表示出力によってユーザに告知するための動作表示用ＬＣＤ２２６と、当該カメラ１の各種操作部材の操作状態を検出するためのカメラ操作スイッチ（ＳＷ）２２７とが接続されている。
【００５０】
ここで、カメラ１の操作部材について説明する。図３〜図６は、カメラの操作部材について説明するためのカメラ１の外観図である。なお、図３はカメラ１の上面図を示し、図４はカメラ１の正面図を示し、図５はカメラ１の側面図を示し、図６はカメラ１の背面図を示す。
【００５１】
図３に示すように、カメラ１の上面には、パワースイッチレバー３０１と、レリーズボタン３０２と、モードダイヤル３０３と、サブダイヤル３０４と、ＩＳＯボタン３０５と、露出補正ボタン３０６と、ホワイトバランス（ＷＢ）ボタン３０７と、画質モードボタン３０８と、フラッシュモードボタン３０９と、ＬＩＧＨＴボタン３１０とが設けられている。
【００５２】
パワースイッチレバー３０１は、当該カメラ１の電源のオン／オフするための操作部材である。このパワースイッチレバー３０１が回動操作されることにより、当該カメラ１のメイン電源のオン／オフが切り替えられる。
【００５３】
レリーズボタン３０２は、撮影準備動作及び露光動作を実行させるためのボタンである。このレリーズボタンは、第１レリーズスイッチと第２レリーズスイッチの２段式のスイッチで構成されており、レリーズボタン３０２が半押し操作されることによって第１レリーズスイッチがＯＮされて測光処理や測距処理などの撮影準備動作が実行される。また、レリーズボタン３０２が全押し操作されることによって第２レリーズスイッチがＯＮされて露光動作が実行される。
【００５４】
モードダイヤル３０３は、撮影時の撮影モードを設定するための操作部材である。このモードダイヤル３０３が回転操作されることによって撮影時の撮影モードが設定される。図３の例では、例えばプログラムＡＥモード（Ｐ）、絞り優先ＡＥモード（Ａ）、シャッタ優先ＡＥモード（Ｓ）、マニュアルモード（Ｍ）、シーンモード（ＳＣＮ）の５つのモードが設定可能である。
【００５５】
プログラムＡＥモードは、カメラ１によって演算された露光条件（絞り値及びシャッタスピード）に従って露光動作が行われるモードである。絞り優先ＡＥモードは、ユーザによって設定された絞り値に応じてシャッタスピードが設定されて露光が行われるモードである。シャッタ優先ＡＥモードは、ユーザによって設定されたシャッタスピードに応じて絞り値が設定されて露光が行われるモードである。マニュアルモードは、ユーザによって設定された絞り値及びシャッタスピードで露光が行われるモードである。シーンモードは、種々の撮影シーンに適した条件で撮影が行われるモードである。なお、シーンモードにおいては、モードダイヤル３０３をＳＣＮに設定した状態で、所望のシーンをメニュー画面上で設定する必要がある。
【００５６】
サブダイヤル３０４は、他の操作部材が押された状態で操作される操作部材である。このサブダイヤル３０４が回転操作されることにより、現在ユーザによって押されている操作部材に係る機能の設定変更を行うことが可能である。ここで、サブダイヤル３０４を利用した設定が行われているときには、そのときのカメラ１の動作状態が動作表示用ＬＣＤ２２６に表示される。ユーザはこの表示を見ながら設定変更を行うことができる。
【００５７】
ＩＳＯボタン３０５は、露光動作時の撮像素子感度（フィルムのＩＳＯ感度に相当する）を設定するためのボタンである。このＩＳＯボタン３０５が押されている状態でダイヤル操作がなされることにより、露光動作時の撮像素子感度の設定変更がなされる。
【００５８】
露出補正ボタン３０６は、露光動作時の露光量を補正するための露出補正値を設定するためのボタンである。この露出補正ボタン３０６が押されている状態でダイヤル操作がなされることにより、露出補正値の値が設定変更される。露出補正値を設定することにより、例えばプログラムＡＥモードなどにおいてカメラ１により自動的に演算された露光量が適正でない場合などでも、これを補正して撮影を行うことができる。
【００５９】
ＷＢボタン３０７は、ホワイトバランスをどのように行うのかを設定するためのボタンである。このＷＢボタン３０７が押されている状態でダイヤル操作がなされることにより、ホワイトバランスの設定が、オートホワイトバランス又はプリセットホワイトバランスに変更される。
【００６０】
オートホワイトバランスでは、ホワイトバランス補正がカメラ１によって自動的に行われる。また、プリセット光源ホワイトバランスでは、晴天時の太陽光や、蛍光灯、電球などといった種々の光源に応じて予め設定された条件でホワイトバランス補正が行われる。
【００６１】
画質モードボタン３０８は、画像記録時の画質モード（画像サイズと圧縮率）を設定するためのボタンである。この画質モードボタン３０８が押されている状態でダイヤル操作がなされることにより画質モードが変更される。
【００６２】
フラッシュモードボタン３０９は、当該カメラ１に図示しない外部フラッシュ装置が装着されている場合に、外部フラッシュ装置の発光モードを設定するためのボタンである。このフラッシュモードボタン３０９が押されている状態でダイヤル操作がなされることにより、発光モードが、例えばオート発光モード、赤目軽減発光モード、スローシンクロモード、強制発光モードの順で変更される。
【００６３】
オート発光モードは、外部フラッシュ装置の発光量などの条件がカメラ１によって自動的に設定されるモードである。赤目軽減発光モードは、撮影に先立って赤目軽減用のプリ発光がなされるモードである。スローシンクロモードは、低速シャッタを併用してフラッシュ発光が行われるモードであり、夜景撮影などに有効なモードである。強制発光モードは、撮影時の条件によらずにフラッシュを発光させるモードである。
【００６４】
ＬＩＧＨＴボタン３１０は、動作表示用ＬＣＤ２２６のバックライトを点灯又は消灯するためのボタンである。
【００６５】
また、図４に示すように、カメラ１の正面には、ワンタッチホワイトバランス（ＷＢ）ボタン３１１が設けられている。このワンタッチＷＢボタン３１１は、オートホワイトバランスやプリセットホワイトバランスで対応できないホワイトバランス条件を登録するためのボタンである。
【００６６】
また、図５に示すように、カメラ１の側面には、オートブラケット（ＢＫＴ）ボタン３１２と、測光モードボタン３１３と、ＤＲＩＶＥモードボタン３１４と、フォーカスモードレバー３１５とが設けられている。
【００６７】
ＢＫＴボタン３１２は、ブラケット撮影時の撮影枚数や露出補正量、ホワイトバランスゲインを設定するためのボタンである。ブラケット撮影では、露光量やホワイトバランスゲインが異なる複数枚の画像が撮影される。ＢＫＴボタン３１２が押されている状態でダイヤル操作がなされることにより、撮影枚数や露出補正量、ホワイトバランスゲインが変更される。
【００６８】
測光モードボタン３１３は、測光処理時の測光方式を設定するためのボタンである。この測光モードボタン３１３が押されている状態でダイヤル操作がなされることにより、測光方式が、例えばスポット測光、中央部重点平均測光、評価測光の順で変更される。
【００６９】
スポット測光では、画面内の極狭い範囲内の光量に基づいて測光処理が行われる。また、中央部重点平均測光では、画面内の中央部について重点的に測光処理が行われる。更に、評価測光では、画面内が複数の領域に分割されて測光処理され、分割領域毎に得られた結果が評価されることにより最終的な測光結果が得られる。
【００７０】
ＤＲＩＶＥモードボタン３１４は、カメラ１の動作モードを設定するためのボタンである。このＤＲＩＶＥモードボタン３１４が押されている状態でダイヤル操作がなされることにより、動作モードが、例えば単写モード、連写（連続撮影）モード、セルフモード、リモコンモードの順で変更される。
【００７１】
単写モードは、ユーザによるレリーズボタン３０２の全押操作に応答して１フレームの画像の撮影が行われるモードである。また、連写モードは、ユーザがレリーズボタン３０２を全押操作している間、撮影動作が繰り返され、これによって複数フレームの画像の撮影が行われるモードである。セルフモードは、レリーズボタン３０２の全押操作後、所定時間後に露光動作が行われる、所謂セルフタイマ撮影が行われるモードである。また、リモコンモードは、カメラ１を図示しないリモートコントローラによって操作可能にするためのモードである。
【００７２】
フォーカスモードレバー３１５は、撮影時のＡＦモードを設定するための操作部材である。このフォーカスモードレバー３１５が切り替えられることにより、ＡＦモードが、例えばシングルＡＦモード、コンティニュアスＡＦモード、パワーフォーカス（ＰＦ）モードの順で変更される。
【００７３】
シングルＡＦモードは、一旦、撮影光学系１０２の焦点制御が行われた後は、レリーズボタン３０２の半押しが解除されるまで撮影光学系１０２の焦点状態が固定されるモードである。コンティニュアスＡＦモードは、被写体の動きに追従して撮影光学系１０２の焦点制御が行われるモードである。ＰＦモードは、ユーザが手動で撮影光学系１０２の焦点調節を行うことができるモードである。
【００７４】
また、図６に示すように、カメラ１の背面には、メインダイヤル３１６と、ＡＦフレームボタン３１７と、ＡＥロックボタン３１８と、再生モードボタン３１９と、消去ボタン３２０と、プロテクトボタン３２１と、情報表示ボタン３２２と、メニューボタン３２３と、十字ボタン３２４と、ＯＫボタン３２５とが設けられている。
【００７５】
メインダイヤル３１６は、サブダイヤル３０４と同一の機能を有する操作部材であり、このメインダイヤル３１６が回転操作されることにより、現在ユーザによって押されている操作部材に係る機能の設定変更を行うことが可能である。
【００７６】
ＡＦフレームボタン３１７は、撮影時のＡＦ方式を選択するためのボタンである。このＡＦフレームボタン３１７が押されている状態でダイヤル操作がなされることにより、ＡＦ方式が、例えばマルチＡＦ又はスポットＡＦに変更される。
【００７７】
マルチＡＦでは、画面内の複数測距点の焦点状態が検出される。一方、スポットＡＦでは、画面内の一点（複数候補の中から選択できる）の焦点状態が検出される。
【００７８】
ＡＥロックボタン３１８は、露光条件を固定するためのボタンである。このＡＥロックボタン３１８が押されている間は、そのとき演算されている露光量が固定される。
【００７９】
再生モードボタン３１９は、カメラ１の動作モードを、ＦｌａｓｈＲＯＭ２２０や記録メディア２２１に記録されたＪＰＥＧファイルから画像を再生できる再生モードに切り替えるためのボタンである。
【００８０】
消去ボタン３２０は、再生モード中において画像データ（ＪＰＥＧファイル）をＦｌａｓｈＲＯＭ２２０や記録メディア２２１から消去するためのボタンである。
【００８１】
プロテクトボタン３２１は、再生モード中において、誤って画像データが消去されないように、画像データにプロテクトをかけるためのボタンである。
【００８２】
情報表示ボタン３２２は、画像データの付加情報（例えば、Ｅｘｉｆ情報）に基づく画像情報を表示させるためのボタンである。
【００８３】
メニューボタン３２３は、液晶モニタ２２２にメニュー画面を表示させるためのボタンである。このメニュー画面は、複数の階層構造からなるメニュー項目によって構成されている。ユーザは、所望のメニュー項目を十字ボタン３２４で選択することができ、ＯＫボタン３２５で選択した項目を決定することができる。ここで、メニュー項目としては、例えばＦｌａｓｈＲＯＭ２２０や記録メディア２２１のセットアップ、画像データの画質、画像処理、シーンモードなどの設定を行うことができる撮影メニュー、画像再生時の再生条件及び画像プリント時の設定などを行うことができる再生メニュー、撮影者の好みに応じた種々の細かい設定を行うことができるカスタムメニュー、及び警告音の種類などのカメラの動作状態を設定するセットアップメニューなどがある。
【００８４】
例えば、シーンモードの設定時には、モードダイヤル３０３がシーンモード（ＳＣＮ）に設定されている状態で、メニュー画面上で所望のシーンを選択することができる。このシーンの例としては、ポートレート、スポーツ、記念撮影、風景、夜景などがある。これら選択されたシーンに応じてＡＥプログラム、フラッシュ発光形態、測光方式、ＡＦ方式、連写インターバルなどの撮影時の撮影条件が設定される。
【００８５】
図７は、以上説明したような構成を有するカメラ１のシーンモードにおける動作について示すフローチャートである。この図７のフローチャートの処理は、ユーザによってモードダイヤル３０３がシーンモード（ＳＣＮ）に切り替えられた時点で開始される。
【００８６】
ユーザによってモードダイヤル３０３がＳＣＮに切り替えられると、まずポートレートモードに応じた撮影条件及び再生条件が設定される（ステップＳ１）。
【００８７】
次に、ユーザによってメニューボタン３２３が押されたか否かが判定される（ステップＳ２）。ステップＳ２の判定において、メニューボタン３２３が押された場合には、ステップＳ２からステップＳ３に分岐して、液晶モニタ２２２にシーンモード設定のためのメニュー画面が表示され、シーンモード設定処理が開始される（ステップＳ３）。このシーンモード設定処理については後述する。
【００８８】
一方、ステップＳ２の判定において、メニューボタン３２３が押されていない場合には、ステップＳ２からステップＳ４に分岐して、ユーザによって第１レリーズスイッチがＯＮされたか否か、即ちレリーズボタン３０２が半押しされたか否かが判定される（ステップＳ４）。ステップＳ４の判定において、第１レリーズスイッチがＯＮされた場合には、ステップＳ４からステップＳ５に分岐して、シーンモード撮影処理が開始される（ステップＳ５）。このシーンモード撮影処理については後述する。
【００８９】
一方、ステップＳ４の判定において、第１レリーズスイッチがＯＮされていない場合には、ステップＳ４からステップＳ６に分岐して、ユーザによって再生モードボタン３１９が押されたか否かが判定される（ステップＳ６）。ステップＳ６の判定において、再生モードボタン３１９が押された場合には、ステップＳ６からステップＳ７に分岐して、再生モードの処理が実行される（ステップＳ７）。この再生モードの処理については説明を省略する。
【００９０】
一方、ステップＳ６の判定において、再生モードボタン３１９が押されていない場合には、ステップＳ６からステップＳ８に分岐して、ユーザによってモードダイヤル３０３の切り替えが行われたか否かが判定される（ステップＳ８）。ステップＳ８の判定において、モードダイヤル３０３の切り替えが行われていない場合には、ステップＳ８からステップＳ２に戻る。一方、ステップＳ８の判定において、モードダイヤル３０３の切り替えが行われた場合、つまりシーンモード以外の撮影モードが選択された場合には、図７の処理が終了され、図示しないカメラ１のメインの処理に復帰する。
【００９１】
図８は、図７のステップＳ３におけるシーンモード設定処理について示すフローチャートである。
【００９２】
図８の処理においては、まず液晶モニタ２２２に表示されたメニュー画面上の「ポートレートモード」の項目が選択される（ステップＳ１１）。次に、ユーザによってＯＫボタン３２５が押されたか否かが判定される（ステップＳ１２）。ステップＳ１２の判定において、ＯＫボタン３２５が押された場合には、ステップＳ１２をステップＳ１３に分岐して、ポートレートモードに応じた撮影・再生条件が設定される（ステップＳ１３）。その後、図８の処理が終了され、図７のステップＳ４に進む。
【００９３】
一方、ステップＳ１２の判定において、ＯＫボタン３２５が押されていない場合には、ステップＳ１２をステップＳ１４に分岐して、ユーザによって十字ボタン３２４の上側若しくは下側の何れかが押されたか否かが判定される（ステップＳ１４）。何れのボタンも押されていない場合には、ステップＳ１４からステップＳ１２に戻る。
【００９４】
ステップＳ１４の判定において、十字ボタン３２４の下側が押された場合には、ステップＳ１４をステップＳ１５に分岐して、液晶モニタ２２２に表示されたメニュー画面上の「スポーツモード」の項目が選択される（ステップＳ１５）。また、ステップＳ１４の判定において、十字ボタン３２４の上側が押された場合には、ステップＳ１４をステップＳ２７に分岐して、液晶モニタ２２２に表示されたメニュー画面上の「夜景モード」の項目が選択される。
【００９５】
ステップＳ１５においてスポーツモードの項目が選択されると、ユーザによってＯＫボタン３２５が押されたか否かが判定される（ステップＳ１６）。ステップＳ１６の判定において、ＯＫボタン３２５が押された場合には、ステップＳ１６をステップＳ１７に分岐して、スポーツモードに応じた撮影・再生条件が設定される（ステップＳ１７）。その後、図８の処理が終了され、図７のステップＳ４に進む。
【００９６】
一方、ステップＳ１６の判定において、ＯＫボタン３２５が押されていない場合には、ステップＳ１６をステップＳ１８に分岐して、ユーザによって十字ボタン３２４の上側若しくは下側の何れかが押されたか否かが判定される（ステップＳ１８）。何れのボタンも押されていない場合には、ステップＳ１８からステップＳ１６に戻る。
【００９７】
ステップＳ１８の判定において、十字ボタン３２４の下側が押された場合には、ステップＳ１８をステップＳ１９に分岐して、液晶モニタ２２２に表示されたメニュー画面上の「記念撮影モード」の項目が選択される（ステップＳ１９）。また、ステップＳ１８の判定において、十字ボタン３２４の上側が押された場合には、ステップＳ１８をステップＳ１１に分岐して、液晶モニタ２２２に表示されたメニュー画面上の「ポートレートモード」の項目が選択される。
【００９８】
ステップＳ１９において記念撮影モードの項目が選択されると、ユーザによってＯＫボタン３２５が押されたか否かが判定される（ステップＳ２０）。ステップＳ２０の判定において、ＯＫボタン３２５が押された場合には、ステップＳ２０をステップＳ２１に分岐して、記念撮影モードに応じた撮影・再生条件が設定される（ステップＳ２１）。その後、図８の処理が終了され、図７のステップＳ４に進む。
【００９９】
一方、ステップＳ２０の判定において、ＯＫボタン３２５が押されていない場合には、ステップＳ２０をステップＳ２２に分岐して、ユーザによって十字ボタン３２４の上側若しくは下側の何れかが押されたか否かが判定される（ステップＳ２２）。何れのボタンも押されていない場合には、ステップＳ２２からステップＳ２０に戻る。
【０１００】
ステップＳ２２の判定において、十字ボタン３２４の下側が押された場合には、ステップＳ２２をステップＳ２３に分岐して、液晶モニタ２２２に表示されたメニュー画面上の「風景モード」の項目が選択される（ステップＳ２３）。また、ステップＳ２２の判定において、十字ボタン３２４の上側が押された場合には、ステップＳ２２をステップＳ１５に分岐して、液晶モニタ２２２に表示されたメニュー画面上の「スポーツモード」の項目が選択される。
【０１０１】
ステップＳ２３において風景モードの項目が選択されると、ユーザによってＯＫボタン３２５が押されたか否かが判定される（ステップＳ２４）。ステップＳ２４の判定において、ＯＫボタン３２５が押された場合には、ステップＳ２４をステップＳ２５に分岐して、風景モードに応じた撮影・再生条件が設定される（ステップＳ２５）。その後、図８の処理が終了され、図７のステップＳ４に進む。
【０１０２】
一方、ステップＳ２４の判定において、ＯＫボタン３２５が押されていない場合には、ステップＳ２４をステップＳ２６に分岐して、ユーザによって十字ボタン３２４の上側若しくは下側の何れかが押されたか否かが判定される（ステップＳ２６）。何れのボタンも押されていない場合には、ステップＳ２６からステップＳ２４に戻る。
【０１０３】
ステップＳ２６の判定において、十字ボタン３２４の下側が押された場合には、ステップＳ２６をステップＳ２７に分岐して、液晶モニタ２２２に表示されたメニュー画面上の「夜景モード」の項目が選択される（ステップＳ２７）。また、ステップＳ２６の判定において、十字ボタン３２４の上側が押された場合には、ステップＳ２６をステップＳ１９に分岐して、液晶モニタ２２２に表示されたメニュー画面上の「記念撮影モード」の項目が選択される。
【０１０４】
ステップＳ２７において夜景モードの項目が選択されると、ユーザによってＯＫボタン３２５が押されたか否かが判定される（ステップＳ２８）。ステップＳ２８の判定において、ＯＫボタン３２５が押された場合には、ステップＳ２８をステップＳ２９に分岐して、夜景モードに応じた撮影・再生条件が設定される（ステップＳ２９）。その後、図８の処理が終了され、図７のステップＳ４に進む。
【０１０５】
一方、ステップＳ２８の判定において、ＯＫボタン３２５が押されていない場合には、ステップＳ２８をステップＳ３０に分岐して、ユーザによって十字ボタン３２４の上側若しくは下側の何れかが押されたか否かが判定される（ステップＳ３０）。何れのボタンも押されていない場合には、ステップＳ３０からステップＳ２８に戻る。
【０１０６】
ステップＳ３０の判定において、十字ボタン３２４の下側が押された場合には、ステップＳ３０をステップＳ１１に分岐して、液晶モニタ２２２に表示されたメニュー画面上の「ポートレートモード」の項目が選択される。また、ステップＳ３０の判定において、十字ボタン３２４の上側が押された場合には、ステップＳ３０をステップＳ２３に分岐して、液晶モニタ２２２に表示されたメニュー画面上の「風景モード」の項目が選択される。
【０１０７】
図９は、第１の実施形態におけるシーンモード撮影処理について示すフローチャートである。
【０１０８】
ユーザによってレリーズボタン３０２が半押しされると、第１レリーズスイッチがＯＮされる。これに応じて、測光回路２０４では、シーンモードに応じて設定された測光方式に基づいて測光処理が行われる。この結果は、Ｂｕｃｏｍ２０１に送信される。Ｂｕｃｏｍ２０１では、シーンモードに応じて設定されたＡＥプログラムに基づいて露光量が演算される（ステップＳ１０１）。次に、シーンモードに応じて設定されたＡＦ方式に基づいてＡＦセンサユニット２０５において検出された信号がＡＦセンサ駆動回路２０６を介してＢｕｃｏｍ２０１へ送信される。これに応じて、Ｂｕｃｏｍ２０１において測距処理が行われ、焦点調節に必要な撮影光学系１０２の駆動量が演算される。そして、ここで演算された駆動量に基づいて撮影光学系１０２の駆動が行われる（ステップＳ１０２）。
【０１０９】
その後、ユーザによって第２レリーズスイッチがＯＮされたか否か、即ちレリーズボタン３０２が全押しされたか否かが判定される（ステップＳ１０３）。ステップＳ１０３において、第２レリーズスイッチがＯＮされていない場合には、ステップＳ１０３からステップＳ１１９に分岐して、第１レリーズスイッチがＯＮのままであるか否かが判定される（ステップＳ１１９）。ステップＳ１１９の判定において、第１レリーズスイッチがＯＮのままである場合には、ステップＳ１１９からステップＳ１０３に戻る。一方、ステップＳ１１９の判定において、第１レリーズスイッチがＯＦＦされた場合には、図９の処理が終了され、図示しないカメラ１のメインの処理に復帰する。
【０１１０】
また、ステップＳ１０３の判定において、第２レリーズスイッチがＯＮされた場合には、ステップＳ１０３からステップＳ１０４に分岐して、メインミラー２０２ａがアップ位置に移動される（ステップＳ１０４）。次に、カメラ１の動作モードが連写モードであるか否かが判定される（ステップＳ１０５）。
【０１１１】
ステップＳ１０５の判定において、カメラ１の動作モードが連写モードである場合には、ステップＳ１０５をステップＳ１０６に分岐して、連写モードの処理が開始される。まず、ステップＳ１０１で演算された露光量に基づいて絞り１０４の絞り込みが行われる（ステップＳ１０６）。次に、撮像素子２１２の撮像動作が開始される（ステップＳ１０７）。その後、ステップＳ１０１で演算された露光量に基づいてシャッタ部２０８の開閉駆動が行われる（ステップＳ１０８）。シャッタ部２０８が閉じられた後、撮像素子２１２の撮像動作が停止される（ステップＳ１０９）。
【０１１２】
次に、撮像素子２１２で得られた画像信号に基づいてＥＶＦ表示が開始される（ステップＳ１１０）。ここで、メインミラー２０２ａがアップ位置に移動されている間は、ファインダ装置による被写体観察を行うことができない。連写モードの場合には、メインミラー２０２ａがアップ位置に移動されている状態で連続的に撮像動作が行われるため、この撮像動作の間にも被写体観察を行うことができるように、このようなＥＶＦ表示が行われるようになっている。
【０１１３】
その後、撮像素子２１２で得られた画像信号に基づく画像データがバッファメモリ２１９に格納される（ステップＳ１１１）。なお、バッファメモリ２１９は、連続的な撮像動作によって取得される多数の画像データを一時格納するのに十分な容量を有しているものである。
【０１１４】
次に、ユーザによって第２レリーズスイッチがＯＦＦされたか否かが判定される（ステップＳ１１２）。ステップＳ１１２の判定において、第２レリーズスイッチがＯＮのままである場合には、ステップＳ１１２をステップＳ１０７に分岐して、次の画像の撮影が実行される。一方、ステップＳ１１２の判定において、第２レリーズスイッチがＯＦＦされた場合には、ステップＳ１１２をステップＳ１１３に分岐して、連続撮像動作が終了される。まず、ＥＶＦ表示が終了される（ステップＳ１１３）。次に、絞り１０４が開放され（ステップＳ１１４）、メインミラー２０２ａがダウン位置に移動される（ステップＳ１１５）。その後、バッファメモリ２１９に格納された画像データが、例えばＪＰＥＧ形式などの所定のファイル形式でＦｌａｓｈＲＯＭ２２０や記録メディア２２１に記録される（ステップＳ１１６）。この連写モード時における画像記録処理については、後述する。画像記録の終了後、図９の処理が終了され、カメラ１のメインの処理に復帰する。
【０１１５】
また、ステップＳ１０５の判定において、カメラ１の動作モードが単写モードである場合には、ステップＳ１０５をステップＳ１２１に分岐して、単写モードの処理が開始される。まず、ステップＳ１０１で演算された露光量に基づいて絞り１０４の絞り込みが行われる（ステップＳ１２１）。次に、撮像素子２１２の撮像動作が開始される（ステップＳ１２２）。その後、ステップＳ１０１で演算された露光量に基づいてシャッタ部２０８の開閉駆動が行われる（ステップＳ１２３）。シャッタ部２０８が閉じられた後、撮像素子２１２の撮像動作が停止される（ステップＳ１２４）。撮像素子２１２の撮像動作が停止された後、画像データが、例えばＪＰＥＧ形式などの所定のファイル形式でＦｌａｓｈＲＯＭ２２０や記録メディア２２１に記録される（ステップＳ１２５）。
【０１１６】
次に、絞り１０４が開放され（ステップＳ１２６）、メインミラー２０２ａがダウン位置に移動される（ステップＳ１２７）。その後、ユーザによって第１レリーズスイッチがＯＦＦされたか否かが判定される（ステップＳ１２８）。このステップＳ１２８の判定は、第１レリーズスイッチがＯＦＦされるまで繰り返される。
【０１１７】
ステップＳ１２８の判定において、第１レリーズスイッチがＯＦＦされた場合には、図９の処理が終了され、カメラ１のメインの処理に復帰する。
【０１１８】
図１０は、図９のステップＳ１１６の連写画像記録処理について示すフローチャートである。
【０１１９】
連写画像記録処理においては、まずバッファメモリ２１９から何枚目の画像データを読み込むのかを示すカウント値ｎがｎ＝１に設定される（ステップＳ３０１）。
【０１２０】
次に、ｎ枚目（初回は１枚目）の画像データが読み込まれる（ステップＳ３０２）。そして、Ｂｕｃｏｍ２０１の図示しない内蔵時計によって計時されたｎ枚目の画像データの撮影時刻情報が取得される（ステップＳ３０３）。
【０１２１】
次に、ステップＳ３０２で読み込まれた画像データが最初（１枚目）の画像データであるか否かが判定される（ステップＳ３０４）。ステップＳ３０４の判定において、ステップＳ３０２で読み込まれた画像データが最初の画像データである場合には、ステップＳ３０４をステップＳ３０８に分岐して、この最初の画像データがＦｌａｓｈＲＯＭ２２０や記録メディア２２１に記録される（ステップＳ３０８）。その後、ステップＳ３０３で取得された撮影時刻が基準時刻に設定される（ステップＳ３０９）。続いてｎが１つインクリメントされて（ステップＳ３１０）、ステップＳ３０２に戻る。これにより、次は２枚目の画像データがバッファメモリ２１９から読み込まれる。
【０１２２】
２枚目以後は、ステップＳ３０４の判定をステップＳ３０５に分岐して、ステップＳ３０２で読み込まれた画像データが最後の画像データであるか否かが判定される（ステップＳ３０５）。
【０１２３】
ステップＳ３０５の判定において、ステップＳ３０２で読み込まれた画像データが最後の画像データでない場合には、ステップＳ３０５をステップＳ３０６に分岐して、ステップＳ３０３で取得された撮影時刻とステップＳ３０９で設定された基準時刻との時間差ΔＴが算出される（ステップＳ３０６）。例えば、２枚目の画像データの場合には、２枚目の画像データの撮影時刻と１枚目の画像データの撮影時刻との時間差がΔＴとなる。続いて、ΔＴが所定の連写インターバル以上であるか否かが判定される（ステップＳ３０７）。
【０１２４】
ここで、連写インターバルは、連写動作の間隔を調整するための所定時間である。この連写インターバルは、シーンモード毎の撮影対象となる被写体の動特性に応じて設定される。例えば、動きの速い被写体を撮影対象とするシーンモードでは連写インターバルが短く設定され、動きの遅い若しくは静止している被写体を撮影対象とするシーンモードでは連写インターバルが長く設定される。ただし、ポートレートモードの場合には、人物の一瞬の表情をキャッチするために連写インターバルが短く設定される。
【０１２５】
図１１は、シーンモード毎の撮影条件について示す図である。なお、図１１に示す撮影条件は、あくまでも一例である。
【０１２６】
ポートレートモードは、人物を撮影するためのシーンモードである。このポートレートモードではＡＥプログラムが開放優先プログラムに設定される。この開放優先プログラムでは、通常の露光時よりも絞り１０４が開放される。また、フラッシュ発光形態は自動に設定され、周囲が暗い場合にはフラッシュ発光が行われる。更に、測光方式はスポット測光、ＡＦ方式はスポットＡＦに設定される。また、連写モード時には、人物の一瞬の表情をキャッチできるように連写インターバルが３００ｍｓに設定される。
【０１２７】
スポーツモードは、スポーツシーンなどの移動する被写体を撮影するためのシーンモードである。このスポーツモードではＡＥプログラムが高速シャッタプログラムに設定され、露光時にはシャッタ速度が優先されるような制御がなされる。また、フラッシュ発光形態は禁止に設定される。更に、測光方式は中央部重点平均測光、ＡＦ方式はマルチＡＦに設定される。また、連写モード時には、被写体の動きを的確に捉えることができるように連写インターバルが１００ｍｓと、ポートレートモードの場合よりも短く設定される。
【０１２８】
記念撮影モードは、記念撮影を行うためのシーンモードである。この記念撮影モードではＡＥプログラムが標準プログラムに設定され、標準的な条件での露光制御が行われる。また、フラッシュ発光形態は自動、測光方式は評価測光、ＡＦ方式はマルチＡＦに設定される。更に、連写インターバルは１ｓに設定される。
【０１２９】
風景モードは風景被写体を撮影するためのシーンモードである。この風景モードではＡＥプログラムが深度優先プログラムに設定される。この深度優先プログラムでは、通常の露光時よりも絞り１０４が絞り込まれる。また、フラッシュ発光形態は禁止に設定される。更に、測光方式は評価測光、ＡＦ方式はスポットＡＦに設定される。更に、連写インターバルは５００ｍｓに設定される。
【０１３０】
夜景モードは、夜景撮影を行うためのシーンモードである。この夜景モードではＡＥプログラムが低速シャッタプログラムに設定される。この低速シャッタプログラムではシャッタ速度が遅くなるので、夜などであっても背景を写しこむことができる。また、フラッシュ発光形態は強制発光に設定される。また、測光方式は中央部重点平均測光、ＡＦ方式はマルチＡＦに設定される。更に、連写インターバルは１ｓに設定される。
【０１３１】
ここで、再び図１０の説明に戻る。図１０のステップＳ３０７判定において、ΔＴが連写インターバル以上である場合には、ステップＳ３０７をステップＳ３０８に分岐して、ステップＳ３０２で読み込まれた画像データがＦｌａｓｈＲＯＭ２２０や記録メディア２２１に記録される。その後、この画像データの撮影時刻が次の基準時刻に設定される。一方、ステップＳ３０７の判定において、ΔＴが連写インターバル未満である場合には、ステップＳ３０８をステップＳ３１０に分岐して、ｎがインクリメントされ、次の画像データが読み込まれる。
【０１３２】
また、ステップＳ３０５の判定において、ステップＳ３０２で読み込まれた画像データが最後の画像データである場合には、ステップＳ３０５をステップＳ３１１に分岐して、最後の画像データがＦｌａｓｈＲＯＭ２２０や記録メディア２２１に記録される（ステップＳ３１１）。その後、図１０の処理が終了され、図９の処理に復帰する。
【０１３３】
図１２は、画像ファイルが記録される際の概念図である。図１２に示すように、画像ファイルは画像フォルダ４００内に記録される。単写モードにおいて取得された画像ファイルは、画像ファイル４０１や画像ファイル４０２のような独立したファイルとして記録される。一方、連写モードにおいて取得された一連の画像ファイル４０５〜４０７は、同一のフォルダ（図では連写フォルダ１）４０４内に記録される。これら一連の画像ファイル４０５〜４０７は、それぞれ関連付けがなされており、同一の連写撮影時に取得されたことが分かるようになっている。
【０１３４】
以上説明したように、第１の実施形態では、図９のステップＳ１０７〜ステップＳ１１２の連続撮像動作で得られた画像データのうちの一部の画像データのみがＦｌａｓｈＲＯＭ２２０や記録メディア２２１に記録される。即ち、連続撮像動作の最初に取得された画像データが記録された後は、連写インターバルの間隔を空けて取得された画像データのみが記録されるので、ＦｌａｓｈＲＯＭ２２０や記録メディア２２１の容量を必要以上に圧迫せずに、効率良く画像データを記録することができる。ここで、連写インターバルはシーンモードに応じて設定されているので、シーンに応じた最適な連写間隔で画像データを記録することができる。
【０１３５】
［第２の実施形態］
次に、本発明の第２の実施形態について説明する。本発明の第２の実施形態は、連写インターバルに応じて連写モード時の撮像動作の間隔を調整することにより、ＦｌａｓｈＲＯＭ２２０や記録メディア２２１に画像データを効率良く記録するようにした例である。なお、構成については第１の実施形態で説明したものがそのまま適用される。以後、第１の実施形態と同様の部分については説明を省略する。
【０１３６】
図１３は、第２の実施形態におけるシーンモード撮影処理について示すフローチャートである。図１３において、単写モード時の動作は図９で説明したものと同様である。したがって、ここでは連写モードにおける処理についてのみ説明する。
【０１３７】
ステップＳ１０５の判定において、カメラ１の動作モードが連写モードである場合には、ステップＳ１０５をステップＳ１０６に分岐して、連写モードの処理が開始される。まず、ステップＳ１０１で演算された露光量に基づいて絞り１０４の絞り込みが行われる（ステップＳ１０６）。
【０１３８】
次に、撮像素子２１２の撮像動作が開始されるのであるが、第２の実施形態では撮像動作の開始に同期してＢｕｃｏｍ２０１内の図示しないタイマの計時が開始される（ステップＳ１０７ａ）。
【０１３９】
その後、ステップＳ１０１で演算された露光量に基づいてシャッタ部２０８の開閉駆動が行われる（ステップＳ１０８）。シャッタ部２０８が閉じられた後、撮像素子２１２の撮像動作が停止される（ステップＳ１０９）。
【０１４０】
次に、撮像素子２１２で得られた画像信号に基づいてＥＶＦ表示が開始される（ステップＳ１１０）。その後、撮像素子２１２で得られた画像信号に基づく画像データがバッファメモリ２１９に格納される（ステップＳ１１１）。
【０１４１】
次に、ユーザによって第２レリーズスイッチがＯＦＦされたか否かが判定される（ステップＳ１１２）。ステップＳ１１２の判定において、第２レリーズスイッチがＯＮのままである場合には、ステップＳ１１２をステップＳ１１７に分岐して、ステップＳ１０７ａで計時開始されたタイマのカウント値により、連写インターバル分の時間が経過したか否かがカウントされる（ステップＳ１１７）。このステップＳ１１７の判定は、連写インターバル分の時間が経過するまで繰り返される。なお、ステップＳ１１７の連写インターバルは第１の実施形態で説明したものと同じものである。
【０１４２】
ステップＳ１１７の判定において、連写インターバル分の時間が経過した場合には、ステップＳ１１７をステップＳ１０７ａに分岐して次の撮像動作が開始される共に、再び連写インターバルの計時が開始される。
【０１４３】
また、ステップＳ１１２の判定において、第２レリーズスイッチがＯＦＦされた場合には、ステップＳ１１２をステップＳ１１３に分岐して、連続撮像動作が終了される。まず、ＥＶＦ表示が終了される（ステップＳ１１３）。次に、絞り１０４が開放され（ステップＳ１１４）、メインミラー２０２ａがダウン位置に移動される（ステップＳ１１５）。その後、バッファメモリ２１９に格納された画像データが、例えばＪＰＥＧ形式などの所定のファイル形式でＦｌａｓｈＲＯＭ２２０や記録メディア２２１に記録される（ステップＳ１１６）。ここで、第２の実施形態では、第１の実施形態と異なり、バッファメモリ２１９に格納された画像データが全てＦｌａｓｈＲＯＭ２２０や記録メディア２２１に記録される。
【０１４４】
以上説明したように、第２の実施形態では、１フレーム分の回の撮像動作が終了した後は、連写インターバル分の時間が経過するまでは次の撮像動作が実行されないので、第１の実施形態と同様に、ＦｌａｓｈＲＯＭ２２０や記録メディア２２１の容量を必要以上に圧迫せずに、効率良く画像データを記録することができる。また、連写インターバルが経過するまでは撮像動作自体が行わないので、第１の実施形態に比べてバッファメモリ２１９の容量を小さくすることができる。
【０１４５】
以上実施形態に基づいて本発明を説明したが、本発明は上記した実施形態に限定されるものではなく、本発明の要旨の範囲内で種々の変形や応用が可能なことは勿論である。例えば、図１１で説明した連写インターバルの値は、変更可能であることは言うまでもない。
【０１４６】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１４７】
【図１】本発明の一実施形態に係るデジタルカメラの構成を示すために、デジタルカメラ本体の一部を切断してその内部構成を概略的に示した斜視図である。
【図２】デジタルカメラの内部の電気回路構成について詳しく示すブロック図である。
【図３】デジタルカメラの外観上面図である。
【図４】デジタルカメラの外観正面図である。
【図５】デジタルカメラの外観側面図である。
【図６】デジタルカメラの外観背面図である。
【図７】デジタルカメラのシーンモードにおける動作について示すフローチャートである。
【図８】シーンモード設定処理について示すフローチャートである。
【図９】第１の実施形態におけるシーンモード撮影処理について示すフローチャートである。
【図１０】第１の実施形態における連写画像記録処理について示すフローチャートである。
【図１１】シーンモード毎の撮影条件について示す図である。
【図１２】画像ファイルが記録される際の概念図である。
【図１３】第２の実施形態におけるシーンモード撮影処理について示すフローチャートである。
【符号の説明】
【０１４８】
１…デジタルカメラ（カメラ）、１００…レンズ鏡筒、１０１…レンズ制御用マイクロコンピュータ（Ｌｕｃｏｍ）、１０１ａ…通信コネクタ、１０２…撮影光学系、１０３…レンズ駆動機構、１０４…絞り、１０５…絞り駆動機構、２００…カメラ本体、２００ａ…撮影光学系装着部、２００ｂ…回路基板、２０１…ボディ制御用マイクロコンピュータ（Ｂｕｃｏｍ）、２０２ａ…クイックリターンミラー（メインミラー）、２０２ｂ…フォーカシングスクリーン、２０２ｃ…ペンタプリズム、２０２ｄ…接眼レンズ、２０３…サブミラー、２０４…測光回路、２０５…ＡＦセンサユニット、２０６…ＡＦセンサ駆動回路、２０７…ミラー駆動機構、２０８…シャッタ部、２０９…シャッタチャージ機構、２１０…シャッタ制御回路、２１１…撮像ユニット、２１２…撮像素子、２１３…防塵フィルタ、２１４…圧電素子、２１５…防塵フィルタ駆動回路、２１６…温度測定回路、２１７…撮像インターフェイス回路、２１８…画像処理コントローラ、２１９…バッファメモリ（ＳＤＲＡＭ）、２２０…ＦｌａｓｈＲＯＭ、２２１…記録メディア、２２２…液晶モニタ、２２３…不揮発性メモリ（ＥＥＰＲＯＭ）、２２４…電源回路、２２５…電池、２２６…動作表示用ＬＣＤ、２２７…カメラ操作スイッチ（ＳＷ）
【図１】
2006229481.tif 000003
【図２】
2006229481.tif 000004
【図３】
2006229481.tif 000005
【図４】
2006229481.tif 000006
【図５】
2006229481.tif 000007
【図６】
2006229481.tif 000008
【図７】
2006229481.tif 000009
【図８】
2006229481.tif 000010
【図９】
2006229481.tif 000011
【図１０】
2006229481.tif 000012
【図１１】
2006229481.tif 000013
【図１２】
2006229481.tif 000014
【図１３】
2006229481.tif 000015